(57)【特許請求の範囲】
【請求項１】
書類を狭持する狭持部と、該狭持部を押圧する綴じ具とを備えたバインダであって、
前記綴じ具は、
板状の基体と、
該基体に設けられた支持軸と、
該支持軸を中心とした周方向に沿って、一端及び他端間を付勢する付勢手段と、
該付勢手段の一端に取り付けられた操作手段と、
該操作手段に設けられた錠止部と、
前記基体に設けられ、前記押圧時に前記錠止部を係止する錠とを備え、
前記狭持部は、
前記基体に取り付けられた下板と、
前記付勢手段の他端に取り付けられた上板とを備え、
前記下板及び前記上板は、前記押圧時に前記書類を狭持する向きに押圧されることを特徴とするバインダ。
【請求項２】
書類を狭持する狭持部と、該狭持部を押圧する綴じ具とを備えたバインダであって、
前記綴じ具は、
板状の基体と、
該基体に設けられた支持軸と、
該支持軸を中心とした周方向に沿って、一端及び他端間を付勢する付勢手段と、
該付勢手段の一端に取り付けられた操作手段と、
該操作手段に設けられた突起と、
前記基体に形成され、前記押圧時に前記突起が嵌合され係止される係止穴とを備え、
前記狭持部は、
前記基体に取り付けられた下板と、
前記付勢手段の他端に取り付けられた上板とを備え、
前記下板及び前記上板は、前記押圧時に前記書類を狭持する向きに押圧されることを特徴とするバインダ。
【請求項３】
前記下板及び／又は前記上板には、該下板及び該上板間からの書類の落下を防止するための落下防止手段が設けられたことを特徴とする請求項１又は請求項２記載のバインダ。
【請求項４】
書類を収納する収納部と、該収納部に収納された書類を帯止めする帯止め部とを有するバインダであって、
前記収納部は、
一面が開口された箱型の収納体と、
該収納体に設けられた錠とを備え、
前記帯止め部は、
前記収納体に一端が取り付けられた帯状のベルトと、
該ベルトの他端に設けられ、前記収納時に前記錠により係止される錠止部とを備え、
前記収納体は、前記書類の大きさに応じた幅及び厚みと、該書類の表面積の３０％〜７０％を覆う深さとを有することを特徴とするバインダ。
【発明の詳細な説明】
【技術分野】
【０００１】
本発明は、バインダに係わり、特に、場所的な制限を受けることなく書類の保管が可能で、狭持、収納等することで手軽に書類の覗き見を防止することのできるバインダに関する。
【背景技術】
【０００２】
他人に覗き見されたくない内容が記載された手帳やノート等の書類は、従来、錠付きの引き出しや人目の付かない場所に保管していた。
【発明の開示】
【発明が解決しようとする課題】
【０００３】
しかしながら、かかる書類を錠付きの引き出しに保管する場合には、例えば自宅や会社のデスク等の限定された場所にしか保管することができず、書類の覗き見を防止するに際し場所的な制限を受けていた。また、錠の鍵を常時携帯する必要があるため、これを紛失するおそれがあった。一方、かかる書類を人目の付かない場所に保管する場合には、僅かな時間だけ書類の覗き見を防止したい場合にも、わざわざ書類をその場所にまで運ばなければならず、書類の覗き見を防止するのが面倒であった。また、この面倒のために僅かな時間でも書類を放置すれば、他人に覗き見されるおそれがあった。
【０００４】
本発明はこのような従来の課題に鑑みてなされたもので、場所的な制限を受けることなく書類の保管が可能で、狭持、収納等することで手軽に書類の覗き見を防止することのできるバインダに関する。
【課題を解決するための手段】
【０００５】
このため本発明は、書類を狭持する狭持部と、該狭持部を押圧する綴じ具とを備えたバインダであって、前記綴じ具は、板状の基体と、該基体に設けられた支持軸と、該支持軸を中心とした周方向に沿って、一端及び他端間を付勢する付勢手段と、該付勢手段の一端に取り付けられた操作手段と、該操作手段に設けられた錠止部と、前記基体に設けられ、前記押圧時に前記錠止部を係止する錠とを備え、前記狭持部は、前記基体に取り付けられた下板と、前記付勢手段の他端に取り付けられた上板とを備え、前記下板及び前記上板は、前記押圧時に前記書類を狭持する向きに押圧されることを特徴とする。
【０００６】
バインダにより書類を狭持する際には、錠による操作手段の係止が解除されない限り、バインダは書類を上板及び下板により狭持し、これら上板及び下板を綴じ具で押圧した状態を維持し続けるため、バインダに狭持された書類の覗き見を防止することができる。また、書類の覗き見を防止するに際して、上板及び下板間に書類を挿入し、操作手段を錠に係止させるだけで良いため、僅かな時間でも手軽に書類の覗き見を防止することができる。
【０００７】
また、本発明は、書類を狭持する狭持部と、該狭持部を押圧する綴じ具とを備えたバインダであって、前記綴じ具は、板状の基体と、該基体に設けられた支持軸と、該支持軸を中心とした周方向に沿って、一端及び他端間を付勢する付勢手段と、該付勢手段の一端に取り付けられた操作手段と、該操作手段に設けられた突起と、前記基体に形成され、前記押圧時に前記突起が嵌合され係止される係止穴とを備え、前記狭持部は、前記基体に取り付けられた下板と、前記付勢手段の他端に取り付けられた上板とを備え、前記下板及び前記上板は、前記押圧時に前記書類を狭持する向きに押圧されることを特徴とする。
【０００８】
このことにより、上板及び下板間に狭持した書類の落下を防止できるため、書類の落下に伴う書類の覗き見を防止することができる。また、上板及び下板により書類全面を狭持するため、バインダによる書類への綴じ跡を付き難くすることができる。
【０００９】
さらに、本発明は、前記下板及び／又は前記上板には、該下板及び該上板間からの書類の落下を防止するための落下防止手段が設けられたことを特徴とする。
【００１０】
落下防止手段は、例えば、下板や上板自体を波形等に変形したり、下板及び上板が互いに対向する側の面に凸部等を設けたり、この面にゴム等を取り付けることで形成される滑り止めである。また、下板及び上板間を、少なくとも１か所で押圧あるいは吸着するものである。
このことにより、上板及び下板間からの書類の落下をより一層防止することができる。
【００１１】
さらに、本発明は、書類を収納する収納部と、該収納部に収納された書類を帯止めする帯止め部とを有するバインダであって、前記収納部は、一面が開口された箱型の収納体と、該収納体に設けられた錠とを備え、前記帯止め部は、前記収納体に一端が取り付けられた帯状のベルトと、該ベルトの他端に設けられ、前記収納時に前記錠により係止される錠止部とを備え、前記収納体は、前記書類の大きさに応じた幅及び厚みと、該書類の表面積の３０％〜７０％を覆う深さとを有することを特徴とする。
【００１２】
バインダにより書類を収納する際には、書類がベルトにより帯止めされるので、バインダに収納された書類の覗き見を防止することができる。そして、収納体は箱型なので、書類の脇からの覗き見を防止することができる。
【発明の効果】
【００１３】
以上説明したように本発明によれば、操作手段に錠止部を備え、基体に錠を備えて構成したので、バインダにより書類を狭持する際には、錠による操作手段の係止が解除されない限り、バインダは書類を上板及び下板により狭持し、これら上板及び下板を綴じ具で押圧した状態を維持し続けるため、バインダに狭持された書類の覗き見を防止することができる。
また、箱型の収納体に錠を備え、これに取り付けられたベルトに錠止部を備えて構成したので、バインダにより書類を収納する際には、書類がベルトにより帯止めされ、バインダに収納された書類の覗き見を防止することができる。さらに、収納体が箱型なので、書類の脇からの覗き見を防止することができる。
【発明を実施するための最良の形態】
【００１４】
以下、本発明の第１実施形態について説明する。
本発明の第１実施形態であるバインダの平面図を図１及び図２に、図１中のＡ矢視線図を図３に、図２中のＢ部分拡大斜視図を図４に示す。なお、図１はバインダにより書類を狭持していない状態を示したものであり、図２はバインダにより書類を狭持している状態を示したものである。
図１〜図４において、本実施形態のバインダ１は、覗き見を防止したい手帳やノート等の書類（図示略）を狭持する狭持部１０と、この狭持部１０を押圧する綴じ具５０とから構成されている。
【００１５】
このとき、狭持部１０は、平板状かつ方形の部材である上板１１を有している。この上板１１は、手帳サイズからＡ４サイズまでの各規格の書類を完全に包含できるように、上板１１として選択される規格の大きさに加え、若干の余裕分だけ大きく形成されている。また、上板１１は、バインダ１全体の軽量化を図る観点から、上板１１の全面あるいは一部にパンチ穴１２が設けられている。さらに、上板１１は、書類を狭持した際に上板１１をめくることができないように、堅固な材質で構成されている。そのため、上板１１は、アルミニウム製等であることが望ましい。
【００１６】
また、この上板１１の一辺の中央部付近からは、後述する綴じ具５０のクランク軸６５、６７及び巻きバネ６９の他端側６５ｂ、６７ｂ、６９ｂが、他辺に向けて延長されている。そして、これらクランク軸６５、６７及び巻きバネ６９の他端側６５ｂ、６７ｂ、６９ｂは、留め金１３により揺動自在に上板１１に取り付けられている。また、上板１１において下板２１に対向する側の面には凸部１５が形成されており、この凸部１５が滑り止めとなって上板１１及び下板２１間に狭持された書類が落下し難くなっている。なお、この凸部１１は、上板１１自体を波形等に変形させることで、構成されても良い。
【００１７】
これに対し、下板２１は、上板１１と同様に平板状かつ方形の部材であり、バインダ１により書類を狭持する際に上板１１と重なり合うように配置されている。また、この下板２１には、上板１１と同様の理由により、パンチ穴２２及び凸部２５が設けられている。そして、この下板２１の一辺付近には、以下に示す綴じ具５０の基体５１が取り付けられている。
【００１８】
綴じ具５０は、平板状かつ長方形の基体５１を有している。この基体５１は、その長手方向の一辺が上述した下板２１に取り付けられている。また、この反対側の縁部には、基体５１が長手方向全体にわたって直角に折曲された側壁５３が形成されている。なお、以下において、基体５１の長手方向と平行でかつバインダ１により書類を狭持する際に上板１１が移動する方向をスライド前方といい、これと反対でバインダ１から書類の取り外す際に上板１１が移動する方向をスライド後方という（図１〜図３中に矢印で示す）。
【００１９】
そして、この基体５１には、スライド後方側から順に４個の立設片５５、５６、５７、５８が側壁５３と平行に並設されている。また、これらの４個の立設片５５、…、５８のうち、立設片５５及び側壁５３間にはクランク軸６５が遊貫されており、その一端には側壁５３からの落脱防止のためのストッパ６５ａが設けられている。一方、クランク軸６５の他端側６５ｂは、立設片５５を貫通した後「く」の字状に折曲され、このまま直線状に延長された後、再び側壁５３に対して垂直になるように折曲されて、上板１１上に延長されている。そのため、この他端側６５ｂは、立設片５５及び側壁５３間を中心に揺動自在となっている。
【００２０】
さらに、他の立設片５７及び側壁５３間にも、クランク軸６５と同じ形状のクランク軸６７が遊貫されおり、その一端にはストッパ６７ａが設けられている。また、クランク軸６７の他端側６７ｂも、上板１１上に延長されており、立設片５７及び側壁５３間を中心に揺動自在となっている。
【００２１】
加えて、立設片５６及び側壁５３間には、支持軸６６が貫通されている。この支持軸６６は、側壁５３に対して垂直に配設されており、その両端には落脱防止のためのストッパ６６ａ、６６ｂが設けられている。そして、この支持軸６６は、立設片５６及び側壁５３間で、操作レバー７１の一端側を貫通するようになっている。
【００２２】
操作レバー７１は、断面が略「コ」の字形の棒状の部材であり、支持軸６６に一端側を貫通されることで、他端側が支持軸６６を中心に揺動自在となっている。また、操作レバー７１は、側壁５３に対して近設され、かつその長手方向が側壁５３と平行になるように配置されている。一方、操作レバー７１の他端側には、操作レバー７１自体がその長手方向に対して垂直に折曲された錠止部７３が形成されており、この錠止部７３には錠止穴７５が開口されている。なお、錠止部７３は、操作レバー７１自体を折曲して形成する場合に限られず、例えば、市販の操作レバー７１を用いた場合には、錠止部７３を操作レバー７１と別体に構成しこれを操作レバー７１の他端側に取り付けても良い。
【００２３】
そして、この錠止部７３は、バインダ１により書類を狭持する際に、基体５１のスライド前方側に設けられたダイヤル錠８１の錠穴８３に嵌合されるようになっており、これに伴い、錠止部７３の錠止穴７５に錠穴８３のツメ８５が係止（施錠）されるようになっている。なお、ダイヤル錠８１は、例えば南京錠等のように別途鍵を必要とする錠ではなく、ダイヤル８７を暗号番号と一致させて開閉ボタン８９を操作することにより、施錠あるいは解錠できるようになっている。また、このダイヤル錠８１は、その暗証番号が所有者により変更可能となっている。
【００２４】
加えて、支持軸６６には、立設片５６及び側壁５３間にこの支持軸６６を中心に巻回された巻きバネ６９が取り付けられている。巻きバネ６９の一端側６９ａは、巻回部分６９ｃから側壁５３及び操作レバー７１の長手方向と平行に延長されており、この操作レバー７１に対し留め金７７で取り付けられている。一方、巻きバネ６９の他端側６９ｂは、クランク軸６５、６７と略同じ形状を有するように、巻回部分６９ｃから「く」の字状に折曲され、このまま直線状に延長された後、側壁５３に対して垂直になるように折曲されて、上板１１上に延長されている。
【００２５】
なお、本実施形態の綴じ具５０には、書類を狭持する際に操作レバー７１を基体５１に固定するための突起９１（図１中点線で示す）や、側壁５３に形成されこの突起９１を嵌合、係止するための係止穴９３（図１中点線で配置のみ示す）は設けられていない。これらの突起９１及び係止穴９３は通常の綴じ具では必須のものであるが、本実施形態の綴じ具５０は、ダイヤル錠８１により操作レバー７１を固定するため、不必要となっている。
【００２６】
かかる構成において、バインダ１により書類を狭持する際には、まず、図２のように操作レバー７１がスライド前方側に存在している状態から、図１のように操作レバー７１をスライド後方側に揺動させる。これにより、操作レバー７１に取り付けられた巻きバネ６９の一端側６９ａもスライド後方側に移動する。そのため、巻きバネ６９の付勢力により、巻きバネ６９の他端側６９ｂが取り付けられた上板１１も、操作レバー７１の移動とともに揺動する。このとき、上板１１には、クランク軸６５、６７の他端側６５ｂ、６７ｂが取り付けられているため、上板１１は下板２１に対して平行に移動する。従って、この操作レバー７１の揺動により、上板１１及び下板２１間には均一な隙間Ｄが形成される。
【００２７】
その後、この隙間Ｄに書類を挿入し、この書類が下板２１からはみ出さないように載置する。なお、この際には、書類の見開き側からの書類の覗き見を防止するために、書類の見開き側を綴じ具５０側に向けて挿入することが望ましい。綴じ具５０に近い方がその押圧力が強いからである。
【００２８】
そして、図２のように操作レバー７１をスライド前方側に揺動させる。これにより、操作レバー７１に取り付けられた巻きバネ６９の一端側６９ａがスライド前方側に移動し、上板１１が巻きバネ６９の付勢力により操作レバー７１の移動とともに揺動する。その結果、上板１１が書類の上方に載置された状態となる。
【００２９】
そして、この状態から、操作レバー７１をさらにスライド前方側に押し込むことで、操作レバー７１に固定された巻きバネ６９の付勢力により、上板１１及び下板２１が押圧される。従って、書類は上板１１及び下板２１により強く狭持される。また、この操作レバー７１をさらに押し込んで、操作レバー７１の錠止部７３をダイヤル錠８１の錠穴８３に嵌合させることで、錠止部７３の錠止穴７５にダイヤル錠８１のツメ８５が係止（施錠）される。そのため、操作レバー７１は、ダイヤル錠８１により、基体５１に対して固定される。従って、ダイヤル錠８１による操作レバー７１の固定が解除されない限り、バインダ１は、書類を上板１１及び下板２１により狭持し、これら上板１１及び下板２１を綴じ具５０で押圧した状態を維持し続ける。
【００３０】
これに対し、バインダ１により狭持された書類を取り外す際には、操作レバー７１の錠止部７３がダイヤル錠８１に嵌合されている状態で、ダイヤル錠８１のダイヤル８７を暗号番号と一致させて、開閉ボタン８９を操作する。これにより、ダイヤル錠８１のツメ８５の操作が可能となり、ダイヤル錠８１による操作レバー７１の固定が解除される。そのため、操作レバー７１は巻きバネ６９の付勢力によりスライド後方側に揺動し、綴じ具５０による上板１１及び下板２１の押圧が解除される。従って、操作レバー７１をさらにスライド後方側に揺動させることで、上板１１及び下板２１間から書類が取り外される。
【００３１】
以上により、バインダ１により書類を狭持する際には、ダイヤル錠８１による操作レバー７１の固定が解除されない限り、バインダ１は書類を上板１１及び下板２１により狭持し、これら上板１１及び下板２１を綴じ具５０で押圧した状態を維持し続けるため、バインダ１に狭持された書類の覗き見を防止することができる。特に、上板１１及び下板２１は、書類を完全に包含する大きさを有しているため、書類の脇からの覗き見が防止される。また、上板１１及び下板２１は堅固な材質で構成されるため、上板１１及び下板２１をめくって書類を覗き見することも防止できる。さらに、上板１１及び下板２１には凸部１５、２５が形成されるため、狭持部１０からの書類の落下も防止できる。
【００３２】
加えて、上板１１及び下板２１にはパンチ穴１２、２２が穿孔され、かつ上板１１及び下板２１はアルミニウム製等であるため、バインダ１の軽量化を図ることができ、このバインダ１を持ち運びすることができる。そのため、場所的な限定を受けることなく書類の覗き見を防止することができる。また、書類の覗き見を防止するに際しては、上板１１及び下板２１間の隙間Ｄに書類を挿入し、操作レバー７１をダイヤル錠８１に固定させるだけで良いため、僅かな時間でも手軽に書類の覗き見を防止することができる。さらに、ダイヤル錠８１により操作レバー７１が固定される構成であるため、例えば南京錠等のように別途鍵を必要とするものと異なり、常時鍵を携帯する必要がなく、その紛失を防止することができる。
【００３３】
なお、本実施形態においては、操作レバー７１に設けられる突起９１や、側壁５３に形成される係止穴９３は不必要であるとして説明したが、これに限られない。すなわち、本実施形態のバインダ１においてダイヤル錠８１を備えずに構成した場合は、書類を狭持する際に、操作レバー７１を基体５１に固定するために突起９１及び係止穴９３が必要となる。そして、この場合でも、上板１１及び下板２１間に狭持した書類の落下を防止できるため、書類の落下に伴う書類の覗き見を防止することができる。また、バインダ１は、上板１１及び下板２１により書類全面を狭持するため、バインダ１による書類への綴じ跡を付き難くすることができる。
【００３４】
また、本実施形態においては、上板１１及び下板２１の一辺側のみを綴じ具５０で押圧するとして説明してきたが、他辺側に互いに吸引し合う磁石（図示略）等を設け、この他辺側からも上板１１及び下板２１を押圧したり、吸着したりすることができるようにしても良い。このことにより、上板１１及び下板２１間にさらに強く書類を狭持することができるので、上板１１及び下板２１間からの書類の落下をより一層防止することができる。
さらに、上板１１及び下板２１が互いに対向する側の面において、その面全体や、凸部１５、２５の突端部や、上板１１及び下板２１の外縁部や、その角部等にゴム等の滑り止めを取り付けても良い。これにより、さらに効果的に上板１１及び下板２１間からの書類の落下を防止することができる。
【００３５】
次に、本発明の第２実施形態について説明する。第２実施形態であるバインダは、第１実施形態でいうバインダ１の狭持部１０を箱型にしたものである。
本発明の第２実施形態であるバインダの斜視図を図５及び図６に示す。なお、図５は書類を収納していない状態を示したものであり、図６はバインダにより書類を収納している状態を示したものである。
図５及び図６において、本実施形態のバインダ１０１は、覗き見を防止したい手帳やノート等の書類１９９を収納する収納部１１０と、この収納部１１０からの書類１９９の引き抜き等を防止する帯止め部１５０とから構成されている。
【００３６】
このとき、収納部１１０は、一面が開口された直方体状の箱型の収納体１１１を有している。この収納体１１１は、手帳サイズからＡ４サイズまでの各種大きさの書類１９９を収納できるように幅Ｆが選択されている。また、この収納体１１１の深さＧは、バインダ１０１全体の軽量化を図る観点から、図示するように、書類１９９の表面積の３０％〜７０％程度を覆える深さとなっている。ただし、書類１９９の覗き見を防止するという観点から、書類１９９の大きさに応じて書類１９９全体を完全に収納できる深さとしても良い。そして、この収納体１１１は、容易に破壊されることがない程度の丈夫さを有する材質で構成されている。そのため、収納体１１１は、革製あるいは第１実施形態と同様にアルミニウム製等であることが望ましい。
【００３７】
さらに、この収納体１１１の一方の面（底面を除く）には、第１実施形態と同様のダイヤル錠８１が設けられている。また、収納体１１１で、このダイヤル錠８１が設けられた面の反対側の面には、帯止め部１５０を構成する帯状のベルト１５１の一端が取り付けられている。そして、このベルト１５１の他端には第１実施形態と同様の錠止部７３が設けられている。
【００３８】
かかる構成において、バインダ１０１により書類１９９を収納する際には、まず、収納体１１１に開口面１１１ａ側から書類１９９を挿入する。なお、この際には、書類１９９の見開き側からの覗き見を防止するために、見開き側が収納体１１１の底部側に向けられることが望ましい。そして、この状態で、ベルト１５１を書類１９９の背表紙側１９９ａを経由させた後、ベルト１５１の錠止部７３をダイヤル錠８１の錠穴８３に嵌合させる。これにより、ベルト１５１はダイヤル錠８１により固定され、書類１９９がベルト１５１により帯止めされる。
【００３９】
これに対し、バインダ１０１に収納された書類１９９を取り出す際には、第１実施形態と同様の方法により、ダイヤル錠８１のツメ８５を操作する。これにより、ベルト１５１の錠止部７３がダイヤル錠８１から外れ、収納体１１１から書類１９９が取り外される。
【００４０】
以上により、バインダ１０１により書類１９９を収納する際には、書類１９９がベルト１５１により帯止めされるので、バインダ１０１に収納された書類１９９の覗き見を防止することができる。特に、収納体１１１は箱型なので、書類１９９の脇からの覗き見が防止される。
【図面の簡単な説明】
【００４１】
【図１】本発明の第１実施形態であるバインダの平面図（書類を狭持していない状態）
【図２】同上（書類を狭持している状態）
【図３】図１中のＡ矢視線図
【図４】図２中のＢ部分拡大斜視図
【図５】本発明の第２実施形態であるバインダの斜視図（書類を収納していない状態）
【図６】同上（書類を収納している状態）
【符号の説明】
【００４２】
１、１０１  バインダ
１０  狭持部
１１  上板
１２、２２  パンチ穴
２１  下板
５０  綴じ具
５１  基体
６５、６７  クランク軸
６６  支持軸
６９  巻きバネ
７１  操作レバー
７３  錠止部
８１  ダイヤル錠
９１  突起
９３  係止穴
１１０  収納部
１１１  収納体
１５０  帯止め部
１５１  ベルト
【要約】
【課題】  場所的な制限を受けることなく書類の保管が可能で、狭持、収納等することで手軽に書類の覗き見を防止することのできるバインダを提供する。
【解決手段】  操作レバー７１の他端側には、錠止部７３が形成されており、この錠止部７３には錠止穴７５が開口されている。そして、錠止部７３は、バインダ１により書類を狭持する際に、基体５１のスライド前方側に設けられたダイヤル錠８１の錠穴８３に嵌合されるようになっており、これに伴い、錠止部７３の錠止穴７５に錠穴８３に設けられたツメ８５が係止されるようになっている。その結果、ダイヤル錠８１による操作レバー７１の固定が解除されない限り、バインダ１は書類を上板１１及び下板２１により狭持し、これら上板１１及び下板２１を綴じ具５０で押圧した状態を維持し続けるようになっている。
【選択図】        図１
【図１】
0003584322.tif 000002
【図２】
0003584322.tif 000003
【図３】
0003584322.tif 000004
【図４】
0003584322.tif 000005
【図５】
0003584322.tif 000006
【図６】
0003584322.tif 000007